(57)【要約】【課題】広い範囲を有効にマッサージできる美容器を提供すること。【解決手段】使用者によって把持される美容器本体１２の周縁部にマッサージ用の球状をなす４個の第１〜第４回転体１３１〜１３４を支持する。そして、第１，第２回転体１３１，１３２を同じ向きに配置するとともに、第３，第４回転体１３３，１３４を別の方向において同じ向きに配置する。第１〜第４回転体１３１〜１３４は同一平面上に配列される。また、第２，第３回転体１３２，１３３その外側に配列された第１，第４回転体１３１，１３４より奥側に配置する。さらに、中央部の第２，第３回転体１３２，１３３を先広がり状に傾斜させた支持軸に支持する。このように構成すれば、凹凸が形成された顔の表面部などを広い範囲にわたって効率的にマッサージできる。【選択図】図１
2020185042.tif 000002
【特許請求の範囲】
【請求項１】
把持可能にした美容器本体の周縁部に、マッサージ用の複数の回転体を支持軸により支持した美容器において、
隣接する前記回転体の支持軸を同じ向きに配置するとともに、その隣接する回転体を前記支持軸の軸方向に相互に変位させた美容器。
【請求項２】
隣接する回転体の支持軸が平行状の状態である請求項１に記載の美容器。
【請求項３】
前記各支持軸を同一平面上に配列した請求項１または２に記載の美容器。
【請求項４】
前記回転体を少なくとも４個とし、配列方向の中央部に位置する２個の回転体をその外側に配列された回転体より奥側に配置した請求項１〜３のうちのいずれか一項に記載の美容器。
【請求項５】
前記中央部の２個の回転体の支持軸を先広がり状に傾斜させた請求項４に記載の美容器。
【請求項６】
前記中央部の２個の回転体の支持軸と、その２個の各回転体の外側の回転体の支持軸とを同じ向きにした請求項５に記載の美容器。
【請求項７】
前記美容器本体は、前記各支持軸を支持する支持部材と、その支持部材の外側を覆うカバーシェルとを備え、そのカバーシェルには前記支持軸が挿通される挿通孔を形成し、前記支持部材には、電極端子において各支持軸の外周に接続される導電体を設け、前記中央部の２個の回転体の支持軸のうちの少なくとも一方の特定支持軸には前記電極端子内に進入される先細テーパ部を形成した請求項５または６に記載の美容器。
【請求項８】
請求項７に記載の美容器において、
前記支持部材に前記特定支持軸以外の支持軸及び導電体を組み付けた後に、その支持部材に前記カバーシェルを外嵌し、次いで、前記特定支持軸をカバーシェルの前記挿通孔を介して前記電極端子内を通過させる美容器の組み付け方法。
【請求項９】
請求項１〜７のうちのいずれか一項に記載の美容器の回転体を用いて身体表面部をマッサージする美容方法。
【発明の詳細な説明】
【技術分野】
【０００１】
本発明は、回転体によって美容マッサージを行うことができるようにした美容器、その美容器の組み付け方法及びその美容器を用いる美容方法に関するものである。
【背景技術】
【０００２】
美容マッサージができるようにした美容器として、特許文献１に開示されたものが公知である。この特許文献１の美容器は、カッサ部材と称する美容器本体の周縁に複数のマッサージ用の円筒状をなすローラを設けたものである。
【先行技術文献】
【特許文献】
【０００３】
【特許文献１】意匠登録第１４３６４００号公報
【発明の概要】
【発明が解決しようとする課題】
【０００４】
特許文献１に記載の構成においては、複数の円筒状をなすローラが美容器本体の外周縁に沿って延びる支持軸の周りにおいて回転可能に支持されたものである。このため、ローラは、前記支持軸の位置である美容器本体の外周面の位置から外れることができない。従って、ローラは美容器本体の外周面に形状に沿って配列されるため、ローラの位置を美容器本体の形状とは無関係に設定することができず、用途や使用における要求性に応じてローラを配置するという柔軟性を得ることはできない。このため、高機能な美容器を得ることができないおそれがあった。
【０００５】
本発明の目的は、高い美容作用を得ることができる美容器を提供することにある。
【課題を解決するための手段】
【０００６】
上記の目的を達成するために、美容器に関する本発明は、把持可能にした美容器本体の周縁部に、マッサージ用の複数の回転体を支持軸を介して支持した美容器において、隣接する前記回転体を前記支持軸の軸方向に変位させたことを特徴とする。
【０００７】
以上の美容器に関する発明においては、回転体を支持軸の軸線方向において適切な位置に設定できる。このため、回転体間の高低差を要求に応じて設定できて、高い美容作用を得ることができる。
【０００８】
美容器の組み付け方法に関する本発明においては、前記美容器本体は、前記各支持軸を支持する支持部材と、その支持部材の外側を覆うカバーシェルとを備え、そのカバーシェルには前記支持軸が挿通される挿通孔を形成し、前記支持部材には、電極端子において各支持軸の外周に接続される導電体を設け、前記中央部の２個の回転体の支持軸のうちの少なくとも一方の特定支持軸には前記電極端子内に進入される先細テーパ部を形成したものである。このような美容器において、前記支持部材に前記特定支持軸以外の支持軸及び導電体を組み付けた後に、その支持部材に前記カバーシェルを外嵌し、次いで、前記特定支持軸をカバーシェルの前記挿通孔を介して前記電極端子内を通過させることを特徴とする。
【０００９】
このような組み付け方法においては、特定支持軸の角度が原因となって、その特定支持軸と美容器本体に組み付けられるカバーシェルとが干渉する位置関係にあっても、特定支持軸を支障なく組み付けることができる。
【００１０】
美容方法に関する本発明においては、把持可能にした美容器本体の周縁部に、マッサージ用の複数の回転体を支持軸を介して支持した美容器において、隣接する回転体を前記支持軸の軸方向に変位させた美容器を用いることにより、身体表面部の広い範囲を有効にマッサージできる。
【発明の効果】
【００１１】
以上のように、本発明によれば、高い美容作用を得ることができるという効果を発揮する。
【図面の簡単な説明】
【００１２】
【図１】美容器の正面図。
【図２】美容器の斜視図。
【図３】美容器の回転体の配列状態を示す側面図。
【図４】メインシェル，カッサ側シェル及び回転体側シェルを外した状態の分解斜視図。
【図５】第１ホルダ板と第２ホルダ板とを分離して示す分解斜視図。
【図６】メインシェル，カッサ側シェル及び回転体側シェルを切断して示す分解正面図。
【図７】第１ホルダ板及び第２ホルダ板の内側面を示す正面図。
【図８】図３の８−８線の部分における断面図。
【図９】支持軸，第１導電板，第２導電板などの組み付け構成を示す断面図。
【図１０】図６の１０−１０線の部分における断面図。
【図１１】回転体及び支持軸を示す分解斜視図。
【図１２】支持軸の組み付け過程を示す分解断面図。
【図１３】回転体及び支持軸の部分の断面図。
【図１４】美容器を顔の頬において使用している状態を示す図。
【図１５】美容器を顔の目尻部分において使用している状態を示す図。
【図１６】美容器の回転体及びカッサ部を頬に当てた状態を示す図。
【図１７】美容器のカッサ部を顔に当てた状態を示す図。
【発明を実施するための形態】
【００１３】
（実施形態）
以下に、本発明を具体化した美容器の実施形態を図面に従って説明する。
本実施形態の美容器１１においては、図１に記載の美容器の上下を実施形態の美容器１１の上下とする。図１〜図３に示すように、本実施形態の美容器１１は、下部側に１箇所のコーナが位置するほぼ扁平な逆三角形状の美容器本体（以下、本体という）１２と、その本体１２の上部側の一辺に配列された第１〜第４回転体１３１〜１３４よりなる回転体群１３とを備えている。第１〜第４回転体１３１〜１３４は、頂部側が球形で、本体１２側が曲率半径が大きくなる球状あるいは楕円球をなして、全体としてほぼ球状に形成されている。ただし、第１〜第４回転体１３１〜１３４は、この形状に限定されるものではなく、全体形状が真球形状，ラグビーボール形状，円筒形状などの形状を採用できる。それだけではなく、バルーン形状あるいは頂部側が球形状で本体１２側が円筒状、さらには頂部側がフラットで本体１２側が円筒状（この場合、頂部側と本体１２側との間の境界部分は断面円弧状にする）など各種の形状を採用できる。バルーン形状の第１〜第４回転体１３１〜１３４は、具体的には第１〜第４回転体１３１〜１３４の外周面の本体１２側の曲率が頂部側の曲率よりも小さく形成される。そして、このバルーン形状の第１〜第４回転体１３１〜１３４は後述の第１〜第４支持軸１０６〜１０９に対して直交する面を基準として、面対称にならない特徴がある。本体１２の別の一辺（以下、腹部という）には凹状に湾曲するクレセント形状のカッサ部１４が形成されている。この回転体１３１〜１３４は転がりマッサージに用いられ、カッサ部１４は身体表面部３００に対して擦りマッサージであるカッサマッサージに用いられる。本体１２の別の一辺（以下、背部という）は凸状に湾曲されており、この背部の上部にはソーラー発電ユニット（以下、発電ユニットという）１５が配置されている。
【００１４】
図４及び図５に示すように、前記本体１２は、ホルダ部材１６を備えており、そのホルダ部材１６の外側にはメインシェル１７，カッサ側シェル１８及び回転体側シェル１９よりなるカバー２０（図１〜図３参照）が被せられている。メインシェル１７，カッサ側シェル１８及び回転体側シェル１９がカバーシェルを構成している。ホルダ部材１６とカバー２０とは相似形で、それらは前述したほぼ三角形である。ホルダ部材１６は、ＰＯＭ（ポリアセタール）などの耐薬品性及び機械的強度を確保できるとともに、電気絶縁性を有する合成樹脂によって構成されている。各シェル１７〜１９は、それぞれ基材がＡＢＳ（アクリル・ブタジエン・スチレン）共重合体やＰＣ（ポリカーボネート）などの合成樹脂によって構成され、それらの基材の表裏両面の全体には金属メッキが施されている。この金属メッキとしては、化学的に安定するとともに、肌のアレルギーを起こしにくい金属，例えばクロムメッキが施されている。クロムメッキに代えて、パラジウム，プラチナ，金，銀，銅，ニッケルや、それらの合金の金属メッキを用いることもできる。この金属メッキにより、カバー２０の表面は、平滑で光沢を有する。
【００１５】
図４，図６及び図８に示すように、前記メインシェル１７は下側からホルダ部材１６に被せられ、ホルダ部材１６の側面の大部分と背部の下部側を覆っている。カッサ側シェル１８はホルダ部材１６の腹部側を覆っており、前記カッサ部１４を構成する。回転体側シェル１９はホルダ部材１６の上辺部分を覆っている。図４，図６及び図１０に示すように、カッサ側シェル１８の縁部には突条１８１が形成されるとともに、回転体側シェル１９の縁部には突条１９１が形成されている。カッサ側シェル１８の突条１８１はメインシェル１７の腹部側の縁部内側の段差４４に嵌合されるとともに、回転体側シェル１９の突条１９１はメインシェル１７の上部の段差４４及びカッサ側シェル１８の段差１８２に嵌合されている。これらの嵌合により、各シェル１７〜１９の外側面は、それぞれ隣接する他のシェル１７〜１９の外側面と段差を生じることなくほぼ連続されている。
【００１６】
図５〜図７に示すように、前記ホルダ部材１６は、板状の第１ホルダ板２１と第２ホルダ板２２とが重ねられて構成されており、両ホルダ板２１，２２は、重ねた状態において、複数箇所の細ピン３８と孔４０との嵌合によって相互に位置決めされるとともに、複数枚の両面粘着シート２３及び複数箇所のタップネジ２４により相互に固定されている。
【００１７】
図４及び図６に示すように、第１ホルダ板２１及び第２ホルダ板２２の上部外側面には、曲線状及び直線状の突条２５，２６，２７がそれぞれ形成されており、これらの突条２５，２６，２７によって回転体側シェル１９が位置決めされる。
【００１８】
図５及び図１０に示すように、第１ホルダ板２１及び第２ホルダ板２２の外側面の中間部から下端にかけた部分には、上下方向に延びる２条の嵌合溝２８，２９が形成されている。一方の嵌合溝２９の下端部は底部が存在しない透設部３０になっている。第１ホルダ板２１及び第２ホルダ板２２の合わせ面である内側面には一対の係止孔３１が形成されており、この係止孔３１の下部と前記嵌合溝２８，２９の上端との間には連通部３２が形成されている。
【００１９】
図４及び図６に示すように、前記メインシェル１７は、一対の側板部１７１と、両側板部１７１間の端板部１７２とにより２枚貝形状に形成されており、側板部１７１の外側面には滑り止めの凹凸１７３が形成されている。両側板部１７１の内側面には嵌合突条３４，３５が形成されており、この嵌合突条３４，３５は前記嵌合溝２８，２９にそれぞれ嵌合されている。図７及び図１０に示すように、一方の嵌合突条３４の下端部間には連結部３６が一体形成されており、この連結部３６は前記透設部３０内に位置している。嵌合突条３４，３５の上端には、前記連通部３２を通って前記係止孔３１に係止される係止突起３７が形成されている。
【００２０】
図４，図５及び図６に示すように、前記カッサ側シェル１８が被せられるホルダ部材１６の腹部の外周縁部には段差４１が形成されており、この段差４１に前記突条１８１が係合して、カッサ側シェル１８が位置決めされている。第１ホルダ板２１の内側面の腹部側の上下２箇所には収容溝４２，４３が形成されている。図４〜図６に示すように、第２ホルダ板２２を第１ホルダ板２１に重ねることにより、この収容溝４２，４３の側面開放部が閉鎖されて、この収容溝４２，４３によって腹部側に開口する角孔状の収容部４７，４８が形成される。カッサ側シェル１８の内側面には２片の板状の挿入片４９，５０が突出されており、図８に示すように、これらの挿入片４９，５０は前記収容部４７，４８内に挿入されるとともに、その挿入状態において先端の孔３９が前記タップネジ２４によって止められている。挿入片４９，５０はその全体に金属メッキが施されている。
【００２１】
図５及び図７に示すように、第１ホルダ板２１の内側面の上部には収容溝５１，５２と、一方の収容溝５１と対向する端子台６２とが形成されており、第２ホルダ板２２を第１ホルダ板２１に重ねることにより、この収容溝５１，５２の側面開放部が閉鎖されて、上部に開口する角孔状の収容部４５，４６が形成される（図４参照）。前記回転体側シェル１９は、凹凸状の上部壁５５と、その上部壁５５の両側に位置する側部壁５３とを備えており、側部壁５３の下端縁が前記突条２５，２６，２７に係合している。上部壁５５の三箇所には挿通孔５４が透設されている。前記カッサ側シェル１８の上端部の一箇所には挿通孔５４が透設されている。回転体側シェル１９の内側面の２箇所には挿入片７３，７４が突出形成されており、一方の挿入片７３が前記収容部４５に挿入されるとともに、前記端子台６２上に達して、先端の孔３９がタップネジ２４によって止められている。他方の挿入片７４が収容部４６に挿入されて先端の孔３９がタップネジ２４により止められている。挿入片７３，７４はその全体に前記金属メッキが施されている。
【００２２】
図５，図６及び図８に示すように、前記発電ユニット１５は、ホルダ部材１６の背部に形成した装着凹部５６内にはめ込まれており、装着凹部５６の両端の棚部５７に発電ユニット１５のユニットケース５８の両端の突出部５８１が係合するとともに、ユニットケース５８の両側の段部５９が装着凹部５６の縁部５７１に係合している。ユニットケース５８のホルダ部材１６側の面の中央部には固定板６０が突出されており、この固定板６０は、第１ホルダ板２１に形成した凹部６１内に収容されて、固定板６０の一対の孔３９，４０をそれぞれ通るタップネジ２４及び細ピン３８により前記凹部６１内において固定されている。
【００２３】
図５に示すように、ユニットケース５８の内底部には発電パネル６３が両面テープ６４により貼着されている。発電パネル６３は、太陽光などの外部光を受けて発電する。ユニットケース５８の開口部には、発電パネル６３を覆うように、レンズフレーム７２がタップネジ６６により固定されるとともに、ユニットケース５８の外周壁とレンズフレーム７２との間にはシール機能を兼用する環状の両面テープ６７が貼着されている。レンズフレーム７２には高屈折率の凸レンズ機能を有するレンズ部材６５が接着されている。そして、レンズ部材６５は、広範囲の外部光を発電パネル６３に集束させて、発電パネル６３上において高効率の発電が行われるようになっている。ユニットケース５８の底面には、前記発電パネル６３の出力端子６８，６９がタップネジ７０によって取り付けられている。図８に示すように、この出力端子６８，６９は、前記第１ホルダ板２１に形成した端子台６２，７１上にそれぞれ位置している。
【００２４】
図５及び図７に示すように、第１ホルダ板２１の上部４箇所には保持筒７６〜７９が一体形成されており、これらの保持筒７６〜７９は前記回転体側シェル１９の三箇所の挿通孔５４及びカッサ側シェル１８の一箇所の挿通孔５４内に位置している。保持筒７６〜７９の基端部において第１ホルダ板２１及び第２ホルダ板２２には凹部８０〜８３が形成されている。第１ホルダ板２１の凹部８０〜８３の底面には保持筒７６〜７９の軸線の延長線上に位置する軸収容部８４〜８７が凹設形成されている。第１ホルダ板２１及び第２ホルダ板２２の２箇所の凹部８１，８２の底面には保持筒７７，７８の軸線の延長線上に位置する先細のテーパ部８５１，８６１が凹設形成されている。
【００２５】
図５，図７及び図８に示すように、第１ホルダ板２１の内側面には一方の端子台７１とひとつ置きの凹部８１，８３との間に位置する装着溝９０が形成されており、この装着溝９０内には第１導電板９２が収容されて、細ピン３８によって止められている。この第１導電板９２の一方の端子台７１上に位置する部分は入力端子９２１になっており、この入力端子９２１には前記発電ユニット１５の一方の端子６９が電気接続されている。第１導電板９２の凹部８１，８３内に位置する部分は半円筒状に湾曲された接続端子９２２になっている。
【００２６】
図５，図８及び図９に示すように、第１ホルダ板２１の内側面には第１導電板９２と重なるように第２導電板９４が載置されて、細ピン３８によって止められている。第１導電板９２の第２導電板９４の部分には両導電板９２，９４間の電気短絡を防止するための電気絶縁シート９５が貼着されている。第２導電板９４の一端部の入力端子９４１は他の端子台６２上に位置するとともに、２箇所の端部には半円筒上の接続端子９４２が形成されて、残りの凹部８０，８２内に嵌合されている。第２導電板９４には先端を拡開状態に折り曲げた一対の支片９４３，９４４が延長され、これらの支片９４３，９４４は、第１ホルダ板２１の上部側の２箇所の収容溝４２，５２の内部に収容されている。図７に示すように、第２ホルダ板２２には、支片９４３，９４４の先端拡開部を収容するための凹部９８が形成されている。第１導電板９２及び第２導電板９４は、電気抵抗が低い金属，例えば、アルミニウム，アルミニウム合金，銅などによって固定されている。
【００２７】
図８に示すように、前記カッサ側シェル１８の一方の挿入片４９が収容部４７の内側に挿入されて、前記第２導電板９４の支片９４４と電気接続されている。回転体側シェル１９の一方の挿入片７４が収容部４６内に挿入されて第２導電板９４の支片９４３に電気接続されている。また、回転体側シェル１９の他方の挿入片７３が収容部４５に挿入されて第２導電板９４の一部に電気に接続されている。
【００２８】
そして、図５，図８及び図９に示すように、発電ユニット１５の発電パネル６３の一方の極性の出力端子（図示しない）からの微弱電流は、コイルバネ７５，タップネジ７０を介して出力端子６９に供給されて、第１導電板９２の入力端子９２１に至り、その結果、第１導電板９２の両接続端子９２２がその一方の極性の端子になる。また、発電パネル６３の他方の極性の出力端子（図示しない）からの微弱電流は、コイルバネ７５，タップネジ７０を介して出力端子６８に供給されて、その出力端子６８から回転体側シェル１９の挿入片７３を介して第２導電板９４の入力端子９４１に至る。その結果、第２導電板９４の両接続端子９４２がその他方の極性の端子になる。従って、支片９４３，９４４及び第２導電板９４の一部を介して回転体側シェル１９及びカッサ側シェル１８の金属メッキがその他方の極性の端子になる。
【００２９】
図１１及び図１３に示すように、前記各保持筒７６〜７９には前記第１〜第４回転体１３１〜１３４の第１〜第４支持軸１０６〜１０９がそれぞれ挿通されて保持されるとともに、軸収容部８４〜８７内に収容されている。ここで、第３支持軸１０８が特定支持軸となる。配列方向中央部の２本の第２，第３支持軸１０７，１０８の挿入側の先端には先細テーパ部としての先鋭部１０３が形成されている。これらの先鋭部１０３は前記テーパ部８５１，８６１に収容される。第１〜第４支持軸１０６〜１０９の挿入端部の小径部１０４に前記導電板９２，９４の接続端子９２２，９４２がそれぞれ嵌合されて電気接続されている（図９参照）。各支持軸１０６〜１０９にはフランジ１１０が形成されており、このフランジ１１０は前記保持筒７６〜７９の先端面に係合している（図１２参照）。このフランジ１１０より先端側において支持軸１０６〜１０９には小径部１０４よりさらに小径の支持部１０５が形成されており、この支持部１０５に前記回転体１３１〜１３４が電気接続状態で回転可能に支持されている。この支持軸１０６〜１０９は、高強度で耐食性（耐薬品性を含む）に優れた金属、例えばステンレススチールから構成されている。支持軸１０６〜１０９は、ステンレススチール以外に、真鍮，アルミニウム合金，チタン合金など、ステンレススチール以外の金属を用いることができる。なお、支持軸１０６〜１０９として、ステンレススチール以外の金属を用いた場合は、その支持軸１０６〜１０９にクローム，ニッケル，金，銀，銅，プラチナなどのメッキを施すことができる。
【００３０】
図１１及び図１３に示すように、前記回転体１３１〜１３４内において、前記支持軸１０６〜１０９の前記支持部１０５には一対の導電性樹脂よりなる一対のベアリング１１１を介して同じく導電性樹脂よりなるホルダ１１２が回転可能に支持されている。このホルダ１１２は止めリング１１３によって抜け止めされている。回転体１３１〜１３４はベアリング１１１とともに支持軸１０６〜１０９上において回転される。ホルダ１１２には平面部１１４が形成され、その平面部１１４には弾性変形可能な掛止爪１１５が配置されており、この掛止爪１１５には斜面１１６が形成されている。
【００３１】
回転体１３１〜１３４は、球状シェル１２０と、その球状シェル１２０内に収容されるとともに、前記ホルダ１１２に外嵌された第１芯部材１２１及び第２芯部材１２２とよりなり、第２芯部材１２２の縁部が前記掛止爪１１５に掛止されて、回転体１３１〜１３４が抜け止めされている。球状シェル１２０及び第１芯部材１２１及び第２芯部材１２２は表面全体が金属メッキされている。このため、回転体１３１〜１３４の外表面は、ホルダ１１２などを介して支持軸１０６〜１０９に電気接続され、この結果、第１回転体１３１及び第３回転体１３３の外表面には、第２導電板９４を介して発電パネル６３から一方の極性の微弱電流が供給される。また、第２回転体１３２及び第４回転体１３４の外表面には、第１導電板９２を介して発電パネル６３から他方の極性の微弱電流が供給される。
【００３２】
回転体１３１〜１３４の基材は、ＡＢＳ樹脂によって構成される。回転体１３１〜１３４の表面の金属メッキは、肌に対するアレルギー防止のために、化学的に安定した金属，例えばクロムメッキが施されている。クロムメッキに代えて、パラジウム，プラチナ，金や、それらの合金の金属メッキを用いることもできる。回転体１３１〜１３４は亜鉛などの金属によって構成してもよい。ベアリング１１１は、回転に適した材料として、ＰＯＭ（ポリアセタール）によって構成されるが、それ以外に、ＡＢＳ，ＰＣ，ＰＥ（ポリエチレン），ＰＢＴ（ポリブチレンテレフタレート），ＰＰ（ポリプロピレン）などによって構成することもできる。止めリング１１３は、引っ張り強度と耐食性を得るために、ＰＯＭによって構成されるが、それ以外に、ＡＢＳ，ＰＣ，ＰＥ，ＰＢＴ，ＰＰなどによって構成することもできる。
【００３３】
本実施形態においては、図３に示すように、前記各保持筒７６〜７９及び各回転体１３１〜１３４の各支持軸１０６〜１０９の中心が同一平面α上に配列されている。そして、図８に示すように、第１支持軸１０６及び保持筒７６の軸線β１と第２支持軸１０７及び保持筒７７の軸線β２とが相互に平行状に同方向を向くとともに、第３支持軸１０８及び保持筒７８の軸線β３と第４支持軸１０９及び保持筒７９の軸線β４とが相互に平行状に同方向を向いている。ここで、「平行状」とは、支持軸１０６〜１０９が平行または同方向に向いた状態をいい、各々の支持軸１０６〜１０９の平行状に関する位置関係は、本発明の効果を奏するものであれば、特に限定されない。この場合、隣接する軸線β１，β２の平行状に関する位置関係及び隣接する軸線β３，β４の平行状に関する位置関係は、それぞれ平行を示す０度からプラスマイナス方向である外側方向及び内側方向に２０度の範囲内が好ましい。また、第２支持軸１０７及び保持筒７７の軸線β２と第３支持軸１０８及び保持筒７８の軸線β３との間には傾斜した外開き角度θ１が形成される。当該角度θ１は、発明の効果を奏するものであれば、特に限定されないが、好ましくは３０〜１２０度、さらに好ましくは６０〜８０度であり、最も好ましい範囲は４５〜５５度である。実施形態の角度θ１は５３度である。さらに、第１支持軸１０６及び保持筒７６の軸線β１と第４支持軸１０９及び保持筒７９の軸線β４との間には傾斜した外開き角度θ２が形成される。当該角度θ２は、発明の効果を奏するものであれば特に限定されないが、好ましくは３０〜１２０度、さらに好ましくは６０〜８０度であり、最も好ましい範囲は４５〜５５度である。実施形態の角度θ２は４６度である。
【００３４】
図１に示すように、第２，第３支持軸１０７，１０８間の中心線γと直交する方向において、第１，第２回転体１３１，１３２の頂部間には高低差δ１が設けられ、第３，第４回転体１３３，１３４の頂部間には高低差δ２が設けられ、実施形態において、高低差δ１は１５ｍｍ（ミリメートル），δ２は２０ｍｍである。これらの高低差δ１，δ２は、発明の効果を奏するものであれば、特に限定されないが、下限は好ましくは０ｍｍ以上、さらに好ましくは５ｍｍ以上、最良は１０ｍｍ以上であり、上限は好ましくは６０ｍｍ以下、さらに好ましくは４０ｍｍ以下、最良は３０ｍｍ以下である。ここで、第１，第２回転体１３１，１３２の頂部間の高低差δ１とは以下のとおりである。すなわち、第１回転体１３１の支持軸１０６の軸線の延長線上における第１回転体１３１の外周面の接線ε１と、第２回転体１３２の支持軸１０７の軸線の延長線上における第２回転体１３２の外周面の接線ε２との間の距離をδ１とする。また、第３，第４回転体１３３，１３４の頂部間の高低差δ２とは以下のとおりである。すなわち、第３回転体１３３の支持軸１０８の軸線の延長線上における第３回転体１３３の外周面の接線ε３と、第４回転体１３４の支持軸１０９の軸線の延長線上における第４回転体１３４の外周面の接線ε４との間の距離をδ２とする。
【００３５】
このように構成された美容器１１は以下のようにして組み付けられる。
はじめに、第１，第２，第４回転体１３１，１３２，１３４がそれぞれ組み付けられていない第１，第２，第４支持軸１０６，１０７，１０９を第２ホルダ板２２が組み付けられていない第１ホルダ板２１の保持筒７８を除く保持筒７６，７７，７９に挿通させる。そして、この第１，第２，第４支持軸１０６，１０７，１０９の先端部を軸収容部８４，８５，８７内に位置させる。
【００３６】
次いで、第１，第２導電板９２，９４が第１ホルダ板２１上に組み付けられ、両導電板９２，９４の接続端子９２２，９４２が支持軸１０６，１０７，１０９に電気接続されるとともに、両導電板９２，９４の入力端子９２１，９４１が端子台６２，７１上に位置する。また、第２導電板９４の支片９４３，９４４が収容溝４２，５２内に位置する。
【００３７】
そして、発電ユニット１５の固定板６０を凹部６１上に載置して、その発電ユニット１５を装着凹部５６において第１ホルダ板２１と第２ホルダ板２２の間に挟んだ状態で、第１ホルダ板２１に第２ホルダ板２２を重ね、複数のタップネジ２４を締め付ける。このようにすれば、発電ユニット１５の出力端子６８，６９が第１，第２導電板９２，９４の入力端子９２１，９４１に電気接続された状態でホルダ部材１６に固定される。従って、両導電板９２，９４に対して異なる極性の電流が供給される状態になる。
【００３８】
次に、ホルダ部材１６に対して回転体側シェル１９を被せ、その挿通孔５４に第１ホルダ板２１の保持筒７６，７７，７８及び第１，第２支持軸１０６，１０７を挿通させるとともに、挿入片７３，７４を収容部４５，４６に挿入して収容する。このようにすれば、一方の挿入片７４が第２導電板９４の支片９４３に電気接続される。また、他方の挿入片７３が第２導電板９４の端子台６２の部分に電気接続される。この場合、前記のように、第３支持軸１０８は装着されていない。この回転体側シェル１９の組み付けに際して、回転体側シェル１９は第１支持軸１０６及び保持筒７６の軸線β１及び第２支持軸１０７及び保持筒７７の軸線β２の方向に移動されて装着される。
【００３９】
次に、ホルダ部材１６に対してカッサ側シェル１８を被せ、その挿通孔５４に第４支持軸１０９及び保持筒７９を挿通させるとともに、挿入片４９，５０を収容部４７，４８に挿入して収容する。このようにすれば、一方の挿入片４９が第２導電板９４の支片９４４に電気接続される。この場合、カッサ側シェル１８は、第４支持軸１０９及び保持筒７９の軸線β４に沿った方向に移動される。
【００４０】
このようにすれば、第２導電板９４を介して回転体側シェル１９及びカッサ側シェル１８の表面の金属メッキに対して発電ユニット１５の一方の出力端子６８の極性の微弱電流が供給される状態になる。
【００４１】
次に、図１１に示すように、回転体１３３が組み付けられていない第３支持軸１０８を保持筒７８内に挿入し、先端の先鋭部１０３を第２導電板９４の接続端子９４２を通過させて、支持軸１０８を凹部８２内に位置させる。このようにすれば、第３支持軸１０８が第２導電板９４に電気接続されて、発電ユニット１５の他方の出力端子６８からの微弱電流が供給される状態になる。
【００４２】
従って、この状態で、第２，第４支持軸１０７，１０９に対して発電ユニット１５の一方の出力端子６９から一方の極性の電流が供給され、第１，第３支持軸１０６，１０８，回転体側シェル１９及びカッサ側シェル１８に対して発電ユニット１５の他方の出力端子６８から他方の極性の電流が供給される状態になる。
【００４３】
その後、第１〜第４回転体１３１〜１３４の支持部１０５の一対のベアリング１１１を有するホルダ１１２を被せ、止めリング１１３によって抜け止め状態にして、そのホルダ１１２上に回転体１３１からを外嵌すれば、掛止爪１１５がその斜面１１６の作用によって逃げた後に、第２芯部材１２２に掛止される。このようにして第１〜第４支持軸１０６〜１０９に対して、第１〜第４回転体１３１〜１３４を組み付ける。
【００４４】
メインシェル１７は、回転体１３１〜１３４の組み付けと相前後して組み付ける。
このようにして、美容器１１が組み上げられる。
以上のように構成された美容器１１の使用方法を説明する。
【００４５】
本実施形態の美容器１１を用いれば、回転体群１３や、カッサ部１４によって顔の頬，額，目尻，顎，フェイスライン、ネックなどの身体表面部３００の部位をマッサージすることができる。すなわち、この美容器は、図１４及び図１５に示すように、本体１２が使用者によって把持される。そして、図１及び図１４に示すように、回転体１３１〜１３４によって顔などの身体表面部３００を転がりマッサージできる。この場合、４個の回転体１３１〜１３４のうち、両外側に位置する２個の回転体１３１，１３４が前方に突出するとともに、その内側の２個の回転体１３２，１３３が奥側に位置する。このため、顔などの表面部の膨らみに沿って４個の回転体１３１〜１３４を同時に転がりマッサージに関与させることができて、広い範囲を同時にマッサージできる。
【００４６】
そして、この転がりマッサージに際しては、中央部の奥側の２個の回転体１３２，１３３が先広がりに傾斜配置された支持軸１０７，１０８上に支持されている。このため、美容器１１を回転体１３１〜１３４の転がり方向に移動させれば、図１に示すように、回転体１３１〜１３４の一方向の転がり進行において、中央部の２個の回転体１３２，１３３によって身体表面部３００がつまみ上げられる。また、回転体１３２，１３３の逆方向の転がり進行において、２個の回転体１３２，１３３によって、身体表面部３００が押圧されるとともに、その身体表面部３００の肌が引っ張られる。
【００４７】
従って、美容器を往復移動させれば、回転体１３１〜１３４によって身体表面部３００の広い範囲を押圧をともないながら転がりマッサージできるとともに、隣接する２個の回転体１３２，１３３によって、摘み上げと、押圧及び引っ張りとを交互に行うことができる。このため、身体表面部３００を回転体１３１〜１３４によって連続して満遍なくマッサージできて、有効な美容効果を得ることができる。
【００４８】
また、図１６に示すように、配列端部の第４回転体１３４とカッサ部１４とを顔などの表面部に同時に当てることにより、回転体１３４による転がりマッサージとカッサ部１４によるカッサマサージとを同時に行うことができる。さらに、図１７に示すように、カッサ部１４により、身体表面部３００を擦りマッサージできる。
【００４９】
これらのマッサージの場合、発電ユニット１５の一方の出力端子６８または６９から第１導電板９２及び第２導電板９４に異なる極性の微弱電流が供給される。第１導電板９２の微弱電流が第２回転体１３２，第４回転体１３４に供給される。また、第２導電板９４の微弱電流が第１回転体１３１，第３回転体１３３，回転体側シェル１９及びカッサ側シェル１８の表面メッキに供給される。つまり、身体表面部３００の肌に当接する部分における隣接部分の極性が逆になるため、その隣接部分間の肌に微弱電流が流れて電気的刺激による美容効果も発揮することができる。
【００５０】
本実施形態においては、以下の効果がある。
（１）第１〜第４回転体１３１〜１３４が同一平面α上において配列されているため、身体表面部３００の広い範囲を同時にマッサージできるとともに、第１〜第４回転体１３１〜１３４が球状であるため、身体表面部３００を点接触に近い状態で押圧できて、有効なマッサージを行うことができる。また、第１及び第２回転体１３１，１３２、第３及び第４回転体１３３，１３４がそれぞれ平行な支持軸１０６〜１０９上に位置し、中央部の回転体１３２，１３３が奥側に位置するように軸方向に変位して配置されている。このため、身体表面部３００のカーブに従って適切にマッサージできる。そして、第２，第３回転体１３２，１３３が先広がりに傾斜した第２，第３支持軸１０７，１０８上に支持されているため、この両回転体１３２，１３３によって、身体表面部３００の摘み上げと、押圧及び引っ張りとを行うことができて、効果的なマッサージを行うことができる。このように、回転体１３１〜１３４の転がりによる押圧や、つまみ上げ、引っ張りが身体表面部３００に作用するため、有効なマッサージを行うことができる。そして、つまみ上げ及び引っ張りが肌に作用するため、肌の毛穴が広げられて、毛穴内の汚れや老廃物などを毛穴から出しやすくなる。
【００５１】
ちなみに、本実施形態の美容器１１において、回転体群１３及びカッサ部１４により身体表面部３００をマッサージしたところ、肌水分量，血流量，肌弾力，肌の柔らかさがそれぞれ改善され、特に、回転体群１３のみによるマッサージにおいて顕著な効果を得ることができた。
【００５２】
（２）中央部の第２，第３回転体１３２，１３３が奥側に位置するように軸方向に変位して配置されるとともに、第２，第３回転体１３２，１３３が先広がりに傾斜した第２，第３支持軸１０７，１０８上に支持されているため、身体表面部３００において美容器１１を安定して移動できる。すなわち、回転体１３１〜１３４が身体表面部３００に立体的に接触するとともに、中央部の回転体１３２，１３３が身体表面部３００を把持するため、美容器１１の移動方向性が確保される。このため、使用者の意図した範囲を適切にマッサージできて、使いやすいものとなる。
【００５３】
（３）回転体１３１〜１３４が球状であるため、身体表面部３００が点接触に近い状態で押圧されて、強い圧力で有効なマッサージを行うことができる。
（４）４個の回転体１３１〜１３４が同一平面α上に配置されているため、回転体１３２，１３３による身体表面部３００のつまみ上げを自然に、かつ快適に行うことができる。
【００５４】
（５）４個の回転体１３１〜１３４のうち、内側の２個の回転体１３２，１３３が奥部に配置されているため、顎部のような顔などの凸部分に対して４個の回転体１３１〜１３４を同時に使用できて、広い範囲にわたって同時にマッサージできる。
【００５５】
（６）第１〜第４支持軸１０６〜１０９の長さや、保持筒７６〜７９からの突出量を異ならせることにより、第１〜第４回転体１３１〜１３４の高低差を自在に調節できる。このため、顔のカーブなどに応じて、第１〜第４回転体１３１〜１３４間において適切な位置関係を設定できて、有効なマッサージが可能となる。
【００５６】
（７）図１７に示すように、カッサ部１４と、配列端部の１個の回転体１３４とを同時に肌に当てることができるため、擦りマッサージと転がりマッサージとを同時遂行可能になり、効率的なマッサージを行うことができる。例えば、皮膚の薄い目元に対しては回転体１３４を、皮膚の厚い頬に対してはカッサ部１４を用いることで、皮膚の厚さの違う箇所に対して適切な強さで同時にマッサージすることが可能になる。
【００５７】
（８）第１，第２及び第４支持軸１０６，１０７，１０９を組み付け位置にセットした後に、第１，第２導電板９２，９４を組み付け、その後、回転体側シェル１９及びカッサ側シェル１８を組み付ける。そして、回転体側シェル１９の組み付けに対して干渉する角度位置関係ある第３支持軸１０８の先端にはテーパ状の先鋭部１０３が形成されている。従って、第３支持軸１０８を回転体側シェル１９の組み付け後に保持筒７８からホルダ部材１６側に挿入すれば、接続端子９４２を変形させることがなく、第３支持軸１０８を良好な電気接続状態において組み付けることができる。
【００５８】
（９）メインシェル１７の外表面に凹凸１７３が形成されているため、美容器１１全体が金属メッキされて、表面平滑であるにも関わらず、美容器１１を滑らず、安定して把持できる。従って、カッサ部１４による擦りマッサージや回転体群１３による転がりマッサージを簡単かつ適切に行うことができる。
【００５９】
（１０）摩擦係数の小さな合成樹脂材料のベアリング１１１が支持軸１０６〜１０９に対して回転可能に外嵌され、そのベアリング１１１が合成樹脂製の止めリング１１３によって支持軸１０６〜１０９に抜止め状態で保持されている。従って、回転体１３１〜１３４として、ガタつきのない円滑な回転を得ることができて、使用感に優れた美容器を実現できる。
【００６０】
（１１）支持軸１０６〜１０９がステンレススチールによって構成されているため、耐食性に優れ、高い靭性を有する。従って、支持軸１０６〜１０９が化粧品の溶剤によって腐食されたり、表面が酸化されたりすることを回避できる。その結果、支持軸１０６〜１０９に支持されたベアリング１１１の円滑な回転を維持できるとともに、支持軸１０６〜１０９の破損や変形のおそれがほとんどないため、良好な使用感を長期にわたって保つことができる。
【００６１】
（変更例）
本発明は前記実施形態に限定されるものではなく、以下のような態様で具体化してもよい。
【００６２】
・第２支持軸１０７と第３支持軸１０８とを同方向を向くようにすること。このようにすれば、４本の支持軸１０６〜１０９が同方向を向くことになる。
・支持軸を３本または５本以上にすること。つまり、回転体を３個または５個以上とすること。この構成においては、配列方向の中央部の回転体を配列方向の両端部の回転体の奥部に配置する。
【００６３】
・回転体の大きさを配列位置に応じて変更すること。例えば、配列方向の両端部の回転体を大きくすること。
・外開き状に傾斜させた隣接する一対の支持軸を、同支持軸の配列方向の端部に設けること。
【００６４】
・全支持軸のホルダ部材側の端部に先細テーパ状の先鋭部を設けること。
・本体１２の全体形状を、例えば、四角形などの三角形以外の多角形状、円形状、楕円形状など、三角形状以外の形状に変更すること。
【００６５】
・カッサ側シェル１８及び回転体側シェル１９を導電性樹脂によって構成すること。このようにすれば、カッサ側シェル１８及び回転体側シェル１９に金属メッキを施さなくても、それらのシェル１８，１９により身体表面部３００に対して微弱電流を供給できる。
【００６６】
・本体１２のホルダ部材１６を導電性樹脂などの導電材料によって構成すること。このように構成すれば、ホルダ部材１６を導電路として利用できる。ただし、この構成の場合は、ホルダ部材１６において電気短絡が生じないように、ホルダ部材１６と、そのホルダ部材１６の極性と他の極性を有する部材との間に絶縁手段を設ける必要がある。
【００６７】
・第１，第２導電板９２，９４を導電性樹脂などの他の導電性材料によって構成すること。
（他の技術的思想）
前記実施形態及び変更例から把握されるが、請求項に記載されていない技術的思想の代表例を挙げれば、以下の通りである。
【００６８】
（Ａ）把持可能にした美容器本体の周縁部に、マッサージ用の複数の回転体を支持軸により支持した美容器において、前記支持軸の前記回転体と反対側の一端に先細テーパ状の先鋭部を形成した美容器。
【００６９】
このような構成においては、支持軸をその一端側から美容器本体に対して容易に組み付けることができる。
（Ｂ）前記支持軸を導電材によって構成し、電流が供給される導電板の端子を前記先鋭部より前記回転体側の部分に接続した前記技術的思想（Ａ）項に記載の美容器。
【００７０】
このような構成においては、支持軸の組み付けに先立って導電材を美容器本体に組み付けた場合であっても、支持軸を先鋭部の作用によって美容器本体に支障なく組み付けることができる。
【符号の説明】
【００７１】
１１…美容器、１２…美容器本体、１３…回転体群、１０６…第１支持軸、１０７…第２支持軸、１０８…第３支持軸、１０９…第４支持軸、１３１…第１回転体、１３２…第２回転体、１３３…第３回転体、１３４…第４回転体。
【図１】
2020185042.tif 000003
【図２】
2020185042.tif 000004
【図３】
2020185042.tif 000005
【図４】
2020185042.tif 000006
【図５】
2020185042.tif 000007
【図６】
2020185042.tif 000008
【図７】
2020185042.tif 000009
【図８】
2020185042.tif 000010
【図９】
2020185042.tif 000011
【図１０】
2020185042.tif 000012
【図１１】
2020185042.tif 000013
【図１２】
2020185042.tif 000014
【図１３】
2020185042.tif 000015
【図１４】
2020185042.tif 000016
【図１５】
2020185042.tif 000017
【図１６】
2020185042.tif 000018
【図１７】
2020185042.tif 000019